(57)【要約】【課題】足置き部材と伸縮部材と足掛け部で構成される筋肉トレーニング器において、足を掛ける部分を、足先を掛けて引く際にズレを防げる引き易い構造とし、更に使う人の足の大きさの違いにも対応できる使い勝手の良い筋肉トレーニング器を提供することを課題とする。【解決手段】  上記課題を解決するために、本発明は上面に足置き部を有する足置き部材の任意の個所に、或る長さを有する紐状又は帯状又は鎖状又はその他の形状の柔軟性と伸縮機能を有した伸縮部材の一部が取り付けられている。そして取り付け箇所から或る距離を有した伸縮部材の先部には環の少なくとも一部を成す足掛け部が形成されている。該足掛け部はその先端部分において、その先端部分から左右其々４ｃｍ以内の範囲に、少なくとも幅５ｃｍ以上の柔軟性を有する面が形成されていることを特徴とする筋肉トレーニング器を提供する。【選択図】図１
2009261876.tif 000002
【特許請求の範囲】
【請求項１】
上面に足を乗せる足置き部を有する足置き部材の任意の個所に、或る長さを有する紐状又は帯状又は鎖状の又はその他の形状の柔軟性と伸縮機能を有した伸縮部材の一部が取り付けられている。そして取り付け箇所から或る距離を有した伸縮部材の先方部には環の少なくとも一部を成す足掛け部が形成されている。該足掛け部はその先端部分において、その先端部分から左右其々４ｃｍ以内の範囲に、少なくとも幅５ｃｍ以上の柔軟性を有する面が形成されていることを特徴とする筋肉トレーニング器。
【請求項２】
足掛け部が形成されている環の周長を連続的又は断続的に５０ｃｍ以下にする手段を有することを特徴とする請求項１に記載の筋肉トレーニング器。
【請求項３】
環を形成する部材の二箇所を合わせ、其処に伸縮機能又は弛締機能を有する環状部材を取り付けて、環の周長を変更する手段としたことを特徴とする請求項２に記載の筋肉トレーニング器。
【請求項４】
足掛け部を伸縮部材とは別の部材で形成したことを特徴とする請求項１〜３のいずれかに記載の筋肉トレーニング器。
【請求項５】
伸縮部材を足置き部材の裏側に配置し、足置き部材に形成した孔部又は切り欠き部から外側に引き出し、その先方に足掛け部を形成したことを特徴とする請求項１〜４のいずれかに記載の筋肉トレーニング器。
【請求項６】
伸縮部材をゴム材で形成したことを特徴とする請求項１〜５のいずれかに記載の筋肉トレーニング器。
【発明の詳細な説明】
【技術分野】
【０００１】  本発明は足腰の筋肉を鍛え、身体のスリム化を図るための筋肉トレーニング器に関する。
【背景技術】
【０００２】  本発明は、平成１８年３月６日に本発明出願人によって出願された出願番号（特願２００５−２５７０２１）の内容に関し更なる改良を成したので出願するものである。特願２００５−２５７０２１の筋肉トレーニング器では足を掛ける部分に関し、使う人の足に対するズレが考慮されておらず、又足の大きさの違いに対応しているものでは無く使い勝手が悪いものであった。
【発明が解決しようとする課題】
【０００３】  本発明においては前記出願の特願２００５−２５７０２１の筋肉トレーニング器において考慮されていなかった、足を掛ける部分に関し、足先を掛けて引いた際に、足先に対するズレを防ぐ引き易い構造とし、更に足の大きさの違いにも対応できる使い勝手の良い新たな筋肉トレーニング器を提供することを課題とする。
【課題を解決するための手段】
【０００４】  上記課題を解決する為、本発明は次ぎの如き筋肉トレーニング器を提供する。
１、上面に足を乗せる足置き部を有する足置き部材の任意の箇所に、或る長さを有する紐状又は帯状又は鎖状又はその他の形状の柔軟性と伸縮機能を有した伸縮部材の一部が取り付けられている。そして取り付け箇所から或る距離を有した伸縮部材の先方部には環の少なくとも一部を成す足掛け部が形成されている。該足掛け部はその先端部分において、その先端部分から左右其々４ｃｍ以内の範囲に、少なくとも幅５ｃｍ以上の柔軟性を有する面が形成されていることを特徴とする筋肉トレーニング器。
２、足掛け部が形成されている環の周長を連続的又は断続的に５０ｃｍ以下にする手段を有することを特徴とする上記第１項に記載の筋肉トレーニング器。
３、環を形成する部材の二箇所を合わせ、其処に伸縮機能又は弛締機能を有する環状部材を取り付けて環の周長を変更する手段としたことを特徴とする請求項２に記載の筋肉トレーニング器。
４、足掛け部を伸縮部利とは別の部材で形成したことを特徴とする上記第１〜３項のいずれかに記載の筋肉トレーニング器。
５、伸縮部材を足置き部材の裏側に配置し、足置き部材に形成した孔部又は切り欠き部から外側に引き出し、その先方に足掛け部を形成したことを特徴とする上記第１〜４項のいずれかに記載の筋肉トレーニング器。
６、伸縮部材をゴム材で形成したことを特徴とする上記第１〜５項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものではない。
【０００６】  図１は本発明の一態様に係る筋肉トレーニング器の全体の形態を示す斜視図（ａ）と一部分の形態を示す平面図（ｂ）と斜視図（ｃ）と（ｄ）である。図１（ａ）の筋肉トレーニング器は上面に足を乗せる足置き部２を有する足置き部材１と足置き部材１の伸縮部材取り付け部８に取り付けられた紐状の伸縮部材３とを有し、伸縮部材３の反対側の先の方の部分には足先を掛ける帯状の足掛け部４が形成されている。これを使用するには足置き部２に片足を乗せて立ち、他方の足先を足掛け部４に掛けて動かし、伸縮部材３を任意の方向に引き伸ばす。こうすると伸縮部材３が伸縮機能を有しているので、引き伸ばすことにより張力が生じ、足腰の筋肉に負荷を与えることができる。左右の足を交換することにより、他片側にも同様に負荷を与えることができ、左右の足腰の筋肉を鍛えることができる。
【０００７】  次ぎに各部分の詳細に就いて説明する。足置き部材１は足を乗せるための台座である。図１（ａ）では板状の部材で示されているが、形状は任意であり、足を乗せられる大きさを有していれば良い。実施上、縦横の寸法が其々１０ｃｍ以上で、高さは１０ｃｍ以下が好ましい。材質も任意である。実施上はプラスチック材又はアルミニウム材又は硬質のゴム材などが選択できる。次ぎに足置き部材１の上面に形成されている足置き部２であるが、ここは足を乗せる箇所であり、足を乗せられる広さを有していれば良い。上面とは上側を向いた面を示し、階段状又は梯子状の下側であっても足を乗せることができる面を有していれば良い。形状は任意である。又、足置き部２は足置き部材１の一部分であるので、足置き部２を示して足置き部材１と云うこともできる。但し足置き部材１は部材を示し、足置き部２は位置を示すものであるから以下必要に応じて使い分ける。次ぎに足置き部材１の伸縮部材取り付け部８に取り付けられている伸縮部材３であるが、この伸縮部材３は或る長さを有した、紐状又は帯状又は鎖状又はその他の形状の柔軟性と伸縮機能を有する部材で形成される。図１（ａ）では伸縮部材取り付け部８を棒状の部材で形成し、其処に紐状の伸縮部材３の一部を湾曲させて掛けた形態になっているが、伸縮部材取り付け部８の形状は任意である。伸縮部材３は図１（ａ）では上記条件を満たす部材として紐状の柔軟なゴム材を使用した形態を示している。取り付け位置及び取り付け方法は任意である。実施上、足を乗せるのに邪魔にならない箇所が好ましい。又、取り付け方法は他部材を介在させて足置き部材１に取り付けても構わない。又、柔軟性は構造で有していても材質で有していても構わない。更に伸縮機能は部材自体の材質で有していても、外部から付加されたものでも良い。付加されたものとは、例えば足置き部材１側に硬質の金属バネを取り付け、そこに或る長さと柔軟性を有する紐状又は帯状又は鎖状又はその他の形状の部材を取り付けたような場合である。このような場合もこれらの、紐状、又は帯状又は鎖状又はその他の部材は伸縮機能を有するものと云える。実施上、伸縮部材３の寸法は太さが断面積で１ｃｍ２程度、長さは３０ｃｍ以上を有することが好ましい。次ぎに伸縮部材３の先方部に形成された足掛け部４であるが、これは伸縮部材３を引き伸ばす際に足先を掛けるための箇所である。先方部とは伸縮部材３において、足置き部材１に取り付けた側とは反対側の先の方向に位置する部分を示す。先の方とは位置を示すものであるから伸縮部材３自体の先でなくても良い。図１全図において足掛け部４は柔軟性を有する帯状部材で形成されており、其の左右が共に直接又は間接に伸縮部材３に繋属しており、図（ａ）と（ｃ）と（ｄ）は少なくとも環の一部を形成する構造と成っている。この構造により先端部分１４に足を掛け引いた際に伸縮部材３の張力を左右ほぼ均等に受けられる様になっている。先端部分１４とは、足を掛けて伸縮部材３引き伸ばした際の足掛け部４の最も先方に位置する部分を云い、特にこの先端部分１４及びこの付近が足先を掛けて引く際に最も力の掛かる箇所となる。この部分に就いてはここを展開して平面図（ｂ）で示しているが、���の幅（図面上では足掛け部４の左右端部を結ぶ線と直交する方向）と長さ（図面上では足掛け部４の左右端部を結ぶ方向）が小さいと、力を加えた際に、足の先から足首に至る範囲で局所的に力が掛かる為ズレや滑りを起し易く、力を足先全体に亘り平均して掛けることができないと云う不具合が生じるのである。本発明はこの不具合を解決する為に、次ぎの如き構造と成っている。それは足掛け部４の先端部分１４において、先端部分１４を挟み、左右其々長さ４ｃｍ以内の範囲に、幅が５ｃｍ以上を有し、且つ柔軟性を有する面を形成することで、面の広さと柔軟性によって力を広く分散させ、ズレや滑りを防止しようとするものである。この場合、面は１枚で形成されていても良いし、例えば上記の長さを１ｃｍ以下とした複数枚の面の上下を部分的に繋ぎ合わせて大きな面を形成した様なものでも良いし、切れ目を付けた形態又は孔を開けた形態でも良い。実施上は、先端部分１４は１枚の面で形成されことが好ましい。実施寸法を云えば、１枚の面で形成した場合、幅は１０ｃｍ程度、長さは１５ｃｍ以上で厚みは５ｍｍ以内が好ましい。図１全図では帯状の形状で示しているが、縦横がほぼ同じ寸法のシート状の部材でも良く、又其の他の形状でも良い。材質も任意であり柔軟性を有していれば硬質部材と軟質部材を複合させたものでも良い。実施上は、皮材又は布材又は柔らかいプラスチック材又ビニール材又は薄いゴム板材などが好ましい。又、中央部を帯状の滑り易い部材で形成しても良い。又、断面形状も任意であり、上下両端部又は中央部のいずれかを厚く形成しても良い。上記に関する足掛け部４の寸法及及び形状及び材質は経験的に決定されて良い。又、足掛け部４は伸縮部材３と同一部材で形成しても良く、又異なる部材で形成して伸縮部材３に繋属させた構造でも良い。この様な構造でも足掛け部材４は伸縮部材の先部に取り付けたこととなる。又、図（ｃ）で示す様に板状の部材を伸縮部材３と足掛け部４の間に介在させても良いし、又、図（ｄ）で示す様に紐状の部材で繋ぎ、環を形成しても良い。図（ｃ）と（ｄ）で示す伸縮部材３と足掛け部４との間に介在し、且つ足を掛けない部分を繋ぎ部５と云う。この様に繋ぎ部５を介して間接に繋属しても、伸縮部材３の張力を足掛け部４の左右に均等に掛けることができる。実施上、繋ぎ部５を足掛け部４と伸縮部材３の間に複数介在させても構わない。繋ぎ部５は足掛け部４と伸縮部材３とは異なる部材で形成されて良い。又、繋ぎ部５を、伸縮部材３と同一部材で形成した場合には繋ぎ部５は伸縮部材３の一部となる。又、図（ｃ）の場合、伸縮部材３を図（ａ）で示す様な形態で形成すると、足掛け部４は環の一部と成り得る。又、足掛け部４の面を筒状又は袋状などに形成し、環の全てを形成することもできるが、足を掛け足掛け部として使用する面は限定されるので、使用の形態は経験的に決定されて良い。
【０００８】  図２は本発明の一態様に係る筋肉トレーニング器の形態の一部分を示す斜視図である。図２は足掛け部４の左右両側に紐状の繋ぎ部５を形成して環を形成し、それに伸縮部材３の先端を湾曲させて接続した図である。更に繋ぎ部５は伸縮部材３と交叉した部分辺りで左右を纏め合わされ、其の外側を環状部材６で押さえられている。実施上、この環状部材６は伸縮機能を有するゴム材などの部材又は弛締機能を有するバンド材で形成されると良い。ここで云う弛締機能とは締めたり、弛めたりすることができる機能である。この構造において、繋ぎ部５は二箇所が纏められ、環状部材６を足掛け部４の方向へ動かすことに依り、環状部材６から先に形成される環の周長を５０ｃｍ以下にすることができる。周長を変化させることで、使う人が変っても、足の大きさに対応して周長を変更できるので足の大きさに拘わらず、使う人に適する環を作ることができ、足掛け部４の締まり過ぎや過度の弛みによる足からの外れを防ぐことができるのである。図２では周長５０ｃｍ以下の環の形成を足掛け部４と繋ぎ部５と環状部材６とで成しているが、足掛け部４と環状部材６で成しても良いし、又は足掛け部４と伸縮部材３と環状部材６で形成しても良い。
【０００９】  図３は本発明の一態様に係る筋肉トレーニング器の形態を示す平面図（ａ）と側面図（ｂ）と断面図（ｃ）である。図３に示す筋肉トレーニング器は足置き部材１の側方に脚部１２が取り付けられ、足置き部２が床面７から或る高さを有して形成されている。図面では足置き部材１と足置き部２との図面番号が同一上面を示して記されているが、段落（０００７）で説明した様に足置き部材１は部材を示すものであり、足置き部２は上側の足を乗せる面を示すものである。伸縮部材３は足置き部材１の裏側の伸縮部材取り付け部８に取り付けられ、裏側面に沿って配置されており、足置き部材１の内側に形成された孔部９から外側に引き出されている。其の先方部に足掛け部４が形成されている。又、足置き部材１の裏側には、配置された伸縮部材３の方向を変換するための方向変換部１０が形成されている。以上の構成により、足を動かし伸縮部材３を引き張る際、この孔部９の縁が支点として機能し、引き張る方向を変換することができる。又、足置き部材１の裏側のスペースを使い、伸縮部材を折り返した形態で収納し配置できるので、長さの長い伸縮部材３を使用でき、それに依り伸びを大きく取れ、足を大きく動かすことができるのである。又、この場合、伸縮部材３の取り付け位置は、足置き部材１の裏側でなくても構わない。表側に取り付けて裏側に配置しても良い。但し表に出ている伸縮部材３は邪魔にならない様に短く形成することが好ましい。又、図３においては、足置き部材１の下側に足擦り面１１を形成している。足擦り面１１に沿って足を動かすと足先を直に床に触れさせること無く動かせるので、足先で床面を擦って床面を痛めること無く使用することができる。又、本態様において足置き部材１の裏側に棒状の方向変換部１０を形成しているが、この方向変換部１０は伸縮部材３をこの側面に宛がい伸縮部材３の引き張る方向を変換するものである。この方向変換部１０に宛がった伸縮部材３の摩擦を減らす為に方向変換部１０に回転ローラーを取り付けても良い。又、孔部９の縁の部分にも同様に回転ローラーを取り付けても良い。又、本態様の筋肉トレーニング器を折り畳みができる構造にしても良い。
【００１０】  図４は前記の態様を別の形態で部分的に示した斜視図である。図４は足置き部材１に脚部１２を取り付け、足置き部材１の端部を或る大きさに切り欠いて、切り欠き部１３を形成し、該切り欠き部１３から前述の孔部９と同様に伸縮部材３を引き出し、その先方に足掛け部４を形成した図である。この様にしても孔部９と同様に切り欠き部１３の縁を支点として使用することができ、前述と同様、伸縮部材３引き張る方向を変更することができ、又同様の効果を得ることができる。
【００１１】  上記において、本発明の筋肉トレーニング器の各部の好ましい形状及び寸法及び材質に就いて説明したが、上記説明に限定されること無く、形状、寸法、材質、は適宜経験的に決定できる。
【発明の効果】
【００１２】  本発明に係る筋肉トレーニング器に依れば、足を掛ける部分に関し、足先を掛けて引いた際に、足先でのズレが防がれて引き易くなり、更に足の大きさの違いにも対応できる使い勝手の良い筋肉トレーニングとなった。
【図面の簡単な説明】
【図１】  本発明の一態様に係る筋肉トレーニング器の形態を示す斜視図（ａ）と一部分の形態を示す平面図（ｂ）と斜視図（ｃ）と（ｄ）である。
【図２】  本発明の一態様に係る筋肉トレーニング器の形態の一部分を示す斜視図である。
【図３】  本発明の一態様に係る筋肉トレーニング器の形態を示す平面図（ａ）と側面図（ｂ）と断面図（ｃ）である。
【図４】  本発明の一態様に掛かる筋肉トレーニング器の一部分の形態を示す斜視図である。
【符号の説明】
１、足置き部材
２、足置き部
３、伸縮部材
４、足掛け部
５、繋ぎ部
６、環状部材
７、床面
８、伸縮部材取り付け部
９、孔部
１０、方向変換部
１１、足擦り部
１２、脚部
１３、切り欠き部
１４、先端部分
【図１】
2009261876.tif 000003
【図２】
2009261876.tif 000004
【図３】
2009261876.tif 000005
【図４】
2009261876.tif 000006